【手続補正書】
【提出日】平成18年6月16日(2006.6.16)
【手続補正１】
【補正対象書類名】明細書
【補正対象項目名】発明の名称
【補正方法】変更
【補正の内容】
【発明の名称】コイン検査装置
【手続補正２】
【補正対象書類名】明細書
【補正対象項目名】特許請求の範囲
【補正方法】変更
【補正の内容】
【特許請求の範囲】
【請求項１】 検知コイルから発生される磁界内に被検査コインを通過させ、前記検知コイルの電気的特性変化に基づき前記被検査コインの真贋性を判別するコイン検査装置であって、
前記検知コイルは、
複数の脚部を有するコアと、
前記コアの隣接する２つの脚部にそれぞれ設けられた第１のコイルおよび第２のコイルと、
前記２つの脚部により形成される磁極から発生される磁束が相互に反発し合うように前記第１のコイルおよび前記第２のコイルを励磁して双峰形磁界を発生させる磁界発生手段と
を具備するコイン検査装置。
【請求項２】  前記コアは、
前記脚部の内、前記第１のコイルおよび前記第２のコイルを設ける隣接する脚部の断面形状が矩形形状である請求項１記載のコイン検査装置。
【請求項３】  前記コアは、
前記脚部の内、第１のコイルおよび前記第２のコイルを設ける隣接する脚部の断面形状が円形形状である請求項１記載のコイン検査装置。
【請求項４】  前記コアは、
前記脚部の内、第１のコイルおよび前記第２のコイルを設ける隣接する脚部の断面形状が長円形状である請求項１記載のコイン検査装置。
【請求項５】  前記コアは、
両端がリング状である請求項１記載のコイン検査装置。
【請求項６】  前記検知コイルは、
前記コアの前記第１のコイルおよび第２のコイルの配設方向が前記被検査コインの通過方向と一致するように配置される請求項１記載のコイン検査装置。
【請求項７】  前記検知コイルを共振素子として含む発振回路
を具備する請求項１記載のコイン検査装置。
【請求項８】  前記検知コイルに発生する電気的特性変化に基づき検査信号を発生する検査信号発生手段と、
前記検査信号の増加時若しくは減少時の信号に基づき前記被検査コインの縁部の特徴を抽出する手段と
を具備する請求項１記載のコイン検査装置。
【請求項９】  前記検知コイルに発生する電気的特性変化に基づき検査信号を発生する検査信号発生手段と、
前記検査信号の最大変化領域の信号に基づき前記被検査コインの表面の凹凸模様の特徴を抽出する手段と
を具備する請求項１記載のコイン検査装置。
【請求項１０】  検知コイルから発生される磁界内に被検査コインを通過させ、前記検知コイルの電気的特性変化に基づき前記被検査コインの真贋性を判別するコイン検査装置であって、
前記検知コイルは、
前記被検査コインの通路に沿って配設され、前記通路に向かって第１の双峰形磁界を発生させる複数の脚部を有するコアに設けられた第１の検知コイルと、
前記通路をはさんで前記第１の検知コイルに対向して配設され、前記通路に向かって第２の双峰形磁界を発生させる複数の脚部を有するコアに設けられた第２の検知コイルと
を具備するコイン検査装置。
【請求項１１】  前記第１の検知コイルおよび前記第２の検知コイルは、
前記コアの複数の脚部の配置方向が前記被検査コインの通過方向と一致するように配置される請求項１０のコイン検査装置。
【請求項１２】  前記第１の検知コイルおよび前記第２の検知コイルは、
相互インダクタンスが負になるように直列逆相接続される請求項１０のコイン検査装置。
【請求項１３】 コイン投入口と、
前記コイン投入口に連結されたコイン通路と、
前記第１および第２の検知コイルを共振素子として含む発振回路と、
前記発振回路の出力に基づき前記第１および第２の検知コイルの電気的特性変化を検出する検出回路と、
受納可能コインの基準値を記憶する記憶手段と、
前記検出回路の検出出力と前記記憶手段に記憶された基準値とを比較する比較手段と、
前記比較手段の比較出力に基づき前記コイン投入口から投入されたコインの真贋性を判別する判別手段と
を具備し、
前記第１の検知コイルは、
前記コイン通路に沿って配設され、
前記第２の検知コイルは、
前記コイン通路を挟んで前記第１の検知コイルに対向して配設される請求項１０のコイン検査装置。
【請求項１４】  前記第１の検知コイルおよび前記第２の検知コイルは、
複数の脚部を有するコアと、
前記コアの隣接する２つの脚部にそれぞれ設けられた第１のコイルおよび第２のコイルと、
前記２つの脚部により形成される磁極から発生される磁束が相互に反発し合うように前記第１のコイルおよび前記第２のコイルを励磁して双峰形磁界を発生させる磁界発生手段と
を具備する請求項１０記載のコイン検査装置。
【手続補正３】
【補正対象書類名】明細書
【補正対象項目名】０００１
【補正方法】変更
【補正の内容】
【０００１】
この発明はコインの真贋性を検査するコイン検査装置に関し、特に自動販売機、ゲーム機器等に使用されるコインの検査に好適なコイン検査装置に関する。
【手続補正４】
【補正対象書類名】明細書
【補正対象項目名】００２７
【補正方法】変更
【補正の内容】
【００２７】
そこで、この発明は、簡単な一組のコイル構成でコイン縁部の形状と表面の凹凸模様とを精度良く検査することができしかも安価な構成のコイン検査装置を提供することを目的とする。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】変更
【補正の内容】
【００３３】
【課題を解決するための手段】
上記目的を達成するため、この発明は、検知コイルから発生される磁界内に被検査コインを通過させ、前記検知コイルの電気的特性変化に基づき前記被検査コインの真贋性を判別するコイン検査装置であって、前記検知コイルは、複数の脚部を有するコアと、前記コアの隣接する２つの脚部にそれぞれ設けられた第１のコイルおよび第２のコイルと、前記２つの脚部により形成される磁極から発生される磁束が相互に反発し合うように前記第１のコイルおよび前記第２のコイルを励磁して双峰形磁界を発生させる磁界発生手段とを具備する。
【手続補正１１】
【補正対象書類名】明細書
【補正対象項目名】００３９
【補正方法】変更
【補正の内容】
【００３９】
また、この発明は、検知コイルから発生される磁界内に被検査コインを通過させ、前記検知コイルの電気的特性変化に基づき前記被検査コインの真贋性を判別するコイン検査装置であって、前記検知コイルは、前記被検査コインの通路に沿って配設され、前記通路に向かって第１の双峰形磁界を発生させる複数の脚部を有するコアに設けられた第１の検知コイルと、前記通路をはさんで前記第１の検知コイルに対向して配設され、前記通路に向かって第２の双峰形磁界を発生させる複数の脚部を有するコアに設けられた第２の検知コイルとを具備する。
【手続補正１２】
【補正対象書類名】明細書
【補正対象項目名】００４２
【補正方法】変更
【補正の内容】
【００４２】
また、コイン投入口と、前記コイン投入口に連結されたコイン通路と、前記第１および第２の検知コイルを共振素子として含む発振回路と、前記発振回路の出力に基づき前記第１および第２の検知コイルの電気的特性変化を検出する検出回路と、受納可能コインの基準値を記憶する記憶手段と、前記検出回路の検出出力と前記記憶手段に記憶された基準値とを比較する比較手段と、前記比較手段の比較出力に基づき前記コイン投入口から投入されたコインの真贋性を判別する判別手段とを具備し、前記第１の検知コイルは、前記コイン通路に沿って配設され、前記第２の検知コイルは、前記コイン通路を挟んで前記第１の検知コイルに対向して配設される。
【手続補正１３】
【補正対象書類名】明細書
【補正対象項目名】００４４
【補正方法】削除
【補正の内容】
【手続補正１４】
【補正対象書類名】明細書
【補正対象項目名】００４５
【補正方法】削除
【補正の内容】
【手続補正１５】
【補正対象書類名】明細書
【補正対象項目名】００５０
【補正方法】変更
【補正の内容】
【００５０】
【発明の実施の形態】
以下、この発明に係わるコイン検査装置の実施の形態を添付図面を参照して詳細に説明する。
【手続補正１６】
【補正対象書類名】明細書
【補正対象項目名】００５１
【補正方法】変更
【補正の内容】
【００５１】
図１は、この発明に係わるコイン検査装置で採用される検知コイルを示す図である。
【手続補正１７】
【補正対象書類名】明細書
【補正対象項目名】００６２
【補正方法】変更
【補正の内容】
【００６２】
図３は、図１に示した検知コイル１を用いて構成したこの発明に係わるコイン検査装置の制御回路の概略構成を示すブロック図である。